(57)【要約】【課題】眼科撮影システムにおいて、適切な２枚の画像をステレオ表示する。【解決手段】ユーザが任意の画像Ｆ１を選択すると、Ｓ１０で選択された画像と前記画像記憶手段に保存されている画像がステレオペアとして成立しているかを判定する。保存されている任意の画像Ｆ２が画像Ｆ１に対しステレオペアである場合は画像Ｆ２を候補画像とする。ステレオペアでない場合はＳ２０〜Ｓ２３で画像の患者情報、撮影モード、左右眼情報、固視灯位置がそれぞれ一致し、かつＳ２４で対物レンズの左右基線長が任意の範囲内にある場合に、画像Ｆ２をステレオペア候補画像とする。【選択図】図２
2011045549.tif 000002
【特許請求の範囲】
【請求項１】
被検眼を撮影する撮影手段と、撮影した画像を保存する画像記憶手段と、前記撮影手段から出力される撮影情報と撮影した前記画像を関連付けて保存する撮影情報記憶手段と、２枚のステレオペア画像によりステレオ表示するステレオ表示手段と、前記撮影手段で撮影した任意の画像に対し複数の画像からステレオペア候補画像を選択する画像選択手段と、該画像選択手段で画像を選択する際に適切な画像の選択を促す画像選択アシスト手段と、任意の画像のステレオペア情報を前記撮影情報記憶手段に追加するステレオペア情報追加手段とを備えたことを特徴とする眼科撮影システム。
【請求項２】
前記画像選択手段でユーザが任意の画像を選択すると、選択された前記画像に複数のステレオペア情報があると、前記ステレオペア候補画像を前記画像選択アシスト手段はユーザが選択できるようにアシスト表示を行うことを特徴とする請求項１に記載の眼科撮影システム。
【請求項３】
前記画像選択手段でユーザが任意の画像を選択すると、選択された前記画像と前記画像記憶手段に保存され患者情報、撮影モード、左右眼情報、固視灯位置がそれぞれ一致し、かつ対物レンズの左右の基線長が任意の範囲内にある画像をステレオペアが成立していると判定し前記ステレオペア候補画像とし、該ステレオペア候補画像が多数存在する場合には、検査情報、画像サイズ、変倍率、撮影画角が一致しかつ撮影時刻の差が任意の範囲内にあるかを調べて前記候補画像を絞り込み、前記画像選択アシスト手段はユーザが選択できるようにアシスト表示を行うことを特徴とする請求項１に記載の眼科撮影システム。
【請求項４】
前記ステレオペアの成立判定は条件を組み合わせることでステレオ成立の信頼度を判定し、前記画像選択アシスト手段はアシスト表示を行う際に信頼度に応じた表示をすることを特徴とする請求項３に記載の眼科撮影システム。
【請求項５】
被検眼を撮影する撮影手段と、撮影した画像を保存する画像記憶手段と、前記撮影手段から出力される撮影情報と撮影した前記画像を関連付けて保存する撮影情報記憶手段と、２枚の画像をステレオ表示するステレオ表示手段と、前記撮影手段で撮影した複数の画像から画像を検索する画像検索手段と、前記任意の画像のステレオペア情報を前記撮影情報記憶手段に追加するステレオペア情報追加手段とを備えたことを特徴とする眼科撮影システム。
【請求項６】
画像選択手段によりユーザが任意の画像を選択すると、前記画像検索手段は選択された画像に前記ステレオペア情報がある場合はペア画像を検索結果とし、前記ステレオペア情報がない場合はステレオペアの成立判定によりステレオペア候補画像を検索することを特徴とする請求項５に記載の眼科撮影システム。
【請求項７】
画像選択手段によりユーザが任意の画像を選択すると、前記画像検索手段は、前記画像記憶手段に保存されている画像の中から選択された画像とステレオペアとして成立している画像を検索し、該画像の患者情報、撮影モード、左右眼情報、固視灯位置がそれぞれ一致し、かつ対物レンズの左右の基線長が任意の範囲内にある場合に、前記ステレオペアが成立していると判定しステレオペア候補画像とし、該ステレオペア候補画像が多数存在する場合には、検査情報、画像サイズ、変倍率、撮影画角が一致し、かつ撮影時刻の差分が任意の範囲内にある場合には、前記ステレオペア候補画像の絞り込み検索結果とすることを特徴とする請求項５に記載の眼科撮影システム。
【請求項８】
前記画像検索手段は検索で複数の前記ステレオペア候補画像が存在する場合に、最後に撮影した画像を検索結果とすることを特徴とする請求項７に記載の眼科撮影システム。
【請求項９】
前記ステレオペア情報追加手段は前記ステレオペア情報を追加できるようにしたことを特徴とする請求項１又は請求項５に記載の眼科撮影システム。
【請求項１０】
前記ステレオペア情報追加手段は画像が重複した前記ステレオペア情報を持つことを特徴とする請求項９に記載の眼科撮影システム。
【発明の詳細な説明】
【技術分野】
【０００１】
本発明は、検眼像のステレオ表示を行うための眼科撮影システムに関するものである。
【背景技術】
【０００２】
従来から、眼底診断のために眼底の立体形状を把握することが求められており、左右視差を設けた２枚の画像を横に並べて表示し観察することで、眼底の乳頭陥凹等をステレオ視する診断法が行われている。ステレオ表示のための画像を得るには、ステレオ撮影機能を持った眼科撮影装置を用いて撮影する手法以外にも、特許文献１のようにユーザが手動で視差を設けて撮影する手法もある。
【先行技術文献】
【特許文献】
【０００３】
【特許文献１】特開平１０−２０１７１５号公報
【発明の概要】
【発明が解決しようとする課題】
【０００４】
しかし、ステレオ撮影機能を用いて画像を得た画像は、２枚がステレオペアとして登録されているが、手動で撮影した画像にはペア情報が登録されていない。このため、表示時に適切な２枚の画像が表示されるとは限らず、誤診につながるという問題を有している。
【０００５】
本発明の目的は、上述の課題を解消し、適切な２枚の画像を選択して検眼像をステレオ表示することができる眼科撮影システムを提供することにある。
【課題を解決するための手段】
【０００６】
上記目的を達成するための本発明に係る眼科撮影システムは、被検眼を撮影する撮影手段と、撮影した画像を保存する画像記憶手段と、前記撮影手段から出力される撮影情報と撮影した前記画像を関連付けて保存する撮影情報記憶手段と、２枚のステレオペア画像によりステレオ表示するステレオ表示手段と、前記撮影手段で撮影した任意の画像に対し複数の画像からステレオペア候補画像を選択する画像選択手段と、該画像選択手段で画像を選択する際に適切な画像の選択を促す画像選択アシスト手段と、任意の画像のステレオペア情報を前記撮影情報記憶手段に追加するステレオペア情報追加手段とを備えたことを特徴とする。
【０００７】
また、本発明に係る眼科撮影システムは、被検眼を撮影する撮影手段と、撮影した画像を保存する画像記憶手段と、前記撮影手段から出力される撮影情報と撮影した前記画像を関連付けて保存する撮影情報記憶手段と、２枚の画像をステレオ表示するステレオ表示手段と、前記撮影手段で撮影した複数の画像から画像を検索する画像検索手段と、前記任意の画像のステレオペア情報を前記撮影情報記憶手段に追加するステレオペア情報追加手段とを備えたことを特徴とする。
【発明の効果】
【０００８】
本発明に係る眼科撮影システムによれば、検眼像の適切なステレオペア画像によりステレオ表示できるので、誤診を防止することができる。
【０００９】
また、ステレオペア候補画像に信頼度を付すると。検者は画像の選択が容易となる。
【図面の簡単な説明】
【００１０】
【図１】実施例１のブロック回路構成図である。
【図２】ステレオ判定アルゴリズムの必須条件のフローチャート図である。
【図３】ステレオ判定アルゴリズムのオプション条件のフローチャート図である。
【図４】画像選択アシスト制御の説明図である。
【図５】実施例２のステレオ判定アルゴリズムの候補信頼度判定のフローチャート図である。
【図６】画像選択アシスト制御の説明図である。
【図７】実施例３のブロック回路構成図である。
【図８】画像検索機能の説明図である。
【図９】ステレオペア情報追加機能の説明図である。
【発明を実施するための形態】
【００１１】
本発明を図示の実施例に基づいて詳細に説明する。
【実施例１】
【００１２】
図１は実施例１の眼科撮影システムのブロック回路構成図を示している。眼底カメラに代表される眼科撮影装置１の出力は、画像記憶部２及び撮影情報記憶部３に並列的に接続され、画像記憶部２の出力は画像選択制御部４、画像選択アシスト制御部７に並列的に接続され、画像選択制御部４の出力はステレオ画像表示部５に接続されている。また、撮影情報記憶部３の出力はステレオペア情報追加部６、画像選択アシスト制御部７に並列的に接続され、画像選択アシスト制御部７の出力は画像選択制御部４に接続されている。
【００１３】
眼科撮影装置１により被検眼に対する撮影が行われると、被検眼の画像とその撮影情報が関連付けられて画像記憶部２及び撮影情報記憶部３に記憶される。なお、画像記憶部２、撮影情報記憶部３は揮発性の記憶装置であっても、不揮発性の記憶装置であってもよい。
【００１４】
図２はステレオペアの成立判定アルゴリズムのフローチャート図を示し、画像記憶部２に保存されている任意の画像Ｆ２が、ユーザが選択した任意の画像Ｆ１のステレオペア候補画像であるかを判定する。ステップＳ１０で画像Ｆ１、Ｆ２がステレオペアでない場合はステップＳ２０に進む。また、ステレオペアである場合はステップＳ３０に進み、ステレオペア候補画像とする。ステップＳ２０〜Ｓ２３で画像Ｆ１、Ｆ２の撮影情報記憶部３に保存されている患者情報、左右眼情報、撮影モード、固視灯位置がそれぞれ一致しているかを調べ、一致している場合にステップＳ２４に進む。
【００１５】
ステップＳ２４では、画像Ｆ１、Ｆ２の対物レンズの位置情報から、眼科撮影装置１の図示しない基台部等を左右水平方向に移動してステレオ撮影を行ったかを調べる。対物レンズの水平方向における左右位置の差を示す基線長ｄが、任意の値ｄ１及びｄ２に対してｄ１≦ｄ≦ｄ２の範囲にある場合はステップＳ３０に進み、画像Ｆ２を画像Ｆ１に対するステレオペア候補画像であると判定する。なお、ステップＳ２４では基線長ｄが範囲内にあり、かつ画像Ｆ１、Ｆ２の対物レンズ位置情報の上下垂直方向、及び前後方向の情報が一致している場合に、ステップＳ３０に進むとしてもよい。
【００１６】
ステップＳ２０〜Ｓ２３で１つでも不一致、又はステップＳ２４で基線長ｄが範囲外である場合にはステップＳ３１に進み、画像Ｆ２は画像Ｆ１に対するステレオペア候補画像ではないと判定する。
【００１７】
図３はステレオ成立判定アルゴリズムの必ずしも必須ではないオプション条件のフローチャート図を示し、前述の図２のフローチャート図で、ステレオペア候補画像と判定された画像が多数存在する場合に候補を絞り込むために用いる。ステップ４０でステレオペア候補画像と判定された場合は、ステップＳ５０に進み、ステレオペア候補画像でない場合は判定を終える。ステップＳ５０〜Ｓ５３で画像Ｆ１、Ｆ２の検査情報、画像サイズ、変倍率、撮影画角がそれぞれ一致しているかを調べ、一致している場合にステップＳ５４に進む。
【００１８】
ステップＳ５４は画像Ｆ１、Ｆ２の撮影時刻情報から、２枚の画像Ｆ１、Ｆ２のステレオ撮影を一連のシーケンスで行ったかを調べる。２枚の画像Ｆ１、Ｆ２の撮影時刻の差分ｔが、任意値ｔ１及びｔ２に対して、ｔ１≦ｔ≦ｔ２の範囲にある場合はステップＳ６０に進み、画像Ｆ２を画像Ｆ１に対するステレオペア候補画像であると判定する。ステップＳ５０〜Ｓ５３で１つでも不一致、又はステップＳ５４で撮影時刻の差分ｔが範囲外である場合はステップＳ６１に進み、画像Ｆ２はステレオペア候補画像ではないと判定する。
【００１９】
図４は本実施例１における適切なステレオ表示を行うための画像選択方法の例を示している。画像選択制御部４は画像記憶部２に保存されている複数の画像をサムネイル表示し、ユーザがサムネイルから画像Ｆ１を選択すると、画像選択アシスト制御部７はＦ１以外のサムネイル上の全ての画像からステレオペア画像を特定する。画像選択アシスト制御部７は図３のステレオ成立判定アルゴリズムでステレオペア候補画像と判定された画像Ｆ２を、サムネイル上に表示される各画像の枠線色を他の画像と異なる色にしてアシスト表示を行う。このアシスト表示された色を頼りに、ユーザは適切な画像を選択してステレオ表示を行うので、適切でない画像とのステレオ表示を防止することができる。
【実施例２】
【００２０】
図５は実施例２のステレオ成立判定アルゴリズムのフローチャート図を示し、画像記憶部２に保存されている任意の画像Ｆ２が、ユーザが選択した任意の画像Ｆ１に対するステレオペア候補画像としてどの程度適しているかの信頼度を判定する。
【００２１】
先ず、ステップＳ７０で画像Ｆ１、Ｆ２がステレオペアである場合はステップＳ８０で画像Ｆ２はステレオ成立ペア登録済みと判定し、ステレオペアでない場合はステップＳ９０に進む。なお、ステップＳ８０に進んだ場合には、画像Ｆ２はステレオペア候補画像としての信頼度が最も高いと判定してもよい。
【００２２】
ステップＳ９０〜Ｓ９３では画像Ｆ１、Ｆ２の患者情報、左右眼情報、撮影モード、固視灯位置がそれぞれ一致しているかを調べ、一致している場合にステップＳ９４に進む。ステップＳ９４では画像Ｆ１、Ｆ２の対物レンズの位置情報から、眼科撮影装置１の基台部等を左右水平方向に移動してステレオ撮影を実施したかを調べる。つまり、眼科撮影装置１の対物レンズの水平方向における左右位置の差を示す基線長ｄが、ｄ１≦ｄ≦ｄ２の範囲にある場合はステップＳ１００に進む。このとき、基線長ｄが範囲内にあり、かつ画像Ｆ１、Ｆ２の対物レンズ位置情報の上下垂直方向、及び前後方向の情報が一致している場合に、ステップＳ１００に進むとしてもよい。
【００２３】
ステップＳ９０〜Ｓ９３で１つでも不一致、又はステップＳ９４で基線長ｄが範囲外である場合はステップＳ８１に進み、画像Ｆ２の画像Ｆ１に対するステレオペア候補画像としての信頼度が低く、ステレオペア不成立と判定する。
【００２４】
最後に、ステップＳ１００〜Ｓ１０３で画像Ｆ１、Ｆ２の検査情報、画像サイズ、変倍率、画角がそれぞれ一致しているかを調べ、一致している場合にステップＳ１０４に進む。ステップＳ１０４は画像Ｆ１、Ｆ２の撮影時刻情報から、２枚の画像のステレオ撮影を一連のシーケンスで行ったかを調べる。撮影時刻の差分ｔが、ｔ１≦ｔ≦ｔ２の範囲にある場合はステップＳ８２に進み、画像Ｆ２のステレオペア候補画像としての信頼度が高いと判定する。ステップＳ１００〜Ｓ１０３で１つでも不一致、又はステップＳ１０４で撮影時刻の差分が範囲外である場合はステップＳ８３に進み、画像Ｆ２のステレオペア候補画像としての信頼度が中程度と判定する。
【００２５】
なお、上述の判定において、条件を満たした項目数や必須条件やオプション条件で重み付け等をして、ステレオ成立信頼度を数値化することもできる。
【００２６】
図６は適切なステレオ表示を行うための画像選択方法の例を示している。画像選択制御部４は画像記憶部２に保存されている画像をサムネイル表示し、ユーザがこのサムネイルから画像Ｆ１１を選択すると、画像選択アシスト制御部７は画像Ｆ１１以外のサムネイル上の全ての画像の画像Ｆ１１に対するステレオ成立信頼度を判定する。このステレオ成立信頼度の判定で、画像Ｆ２１の信頼度がペア登録済みと判定された場合に、画像選択アシスト制御部７は画像Ｆ２１を選択済みの状態にし、ユーザがステレオ表示ボタン１０を押すとステレオ画像表示部５にステレオ画像を表示する。
【００２７】
このとき、画像選択アシスト制御部７は画像Ｆ２１を選択状態にし、かつステレオ表示ボタン１０を押下する制御を行い、画像Ｆ１、Ｆ２をステレオ表示してもよい。上述のステレオ成立信頼度の判定で、画像Ｆ２１はステレオペア候補画像としての信頼度が高い、画像Ｆ３１は信頼度が中程度の場合に、サムネイル上に表示される各画像Ｆ２１、Ｆ３１のそれぞれの枠線色を他の画像と異なる色にした状態で表示することが好ましい。
【００２８】
画像選択アシスト制御部７は枠線の色による信頼度に応じて、高信頼度の画像Ｆ２１に濃い色を、中信頼度の画像Ｆ３１に薄い色を付けるなど、表示する色に差を付けるアシスト表示を行う。ユーザは表示された色を頼りに、適切な画像を選択してステレオ表示を行うので、適切でない画像がステレオ表示されることを防止することができる。
【実施例３】
【００２９】
図７は実施例３の眼科撮影システムのブロック回路構成図を示し、図１の構成図に対し、画像選択アシスト制御部７の代りに画像検索制御部８が設けられている。
【００３０】
図８は本実施例３における適切なステレオ表示を行うためのステレオペア検索の例を示している。画像選択制御部４は画像記憶部２に保存されている画像をサムネイル表示し、ユーザがサムネイルから画像Ｆ１０１を選択すると、画像検索制御部８はステレオペアの他方の画像を検索する。検索はサムネイル表示されている画像Ｆ１０１以外の全ての画像に対して行うが、このとき検索対象を画像記憶部２に保存されている全ての画像、又はその部分集合に対して行ってもよい。
【００３１】
先ず、画像検索制御部８は検索対象の任意の画像Ｆｘが、ユーザに選択された画像Ｆ１０１のステレオペア候補画像であるかの判定を、実施例１の図２のアルゴリズムの手順で行う。ステレオペア候補画像が複数枚存在する場合は実施例２の図５のアルゴリズムの手順でステレオペア候補画像としての信頼度を判定し、最も信頼度が高いと判定された画像を、検索結果とすることもできる。
【００３２】
また、画像検索制御部８はステレオペア候補画像としての信頼度が同程度と判定された画像が複数枚存在する場合には、撮影時刻情報を調べ、撮影時刻が最も新しい画像を、一連のステレオ撮影でユーザが適当と判断した画像とする検索結果としてもよい。
【００３３】
検索結果として、画像Ｆ１０１に対するペア画像の画像Ｆ１０２が得られると、画像検索制御部８は画像Ｆ１０２を選択状態にする。ユーザがステレオ表示ボタン１０を押すと画像Ｆ１０１、Ｆ１０２のステレオ画像をステレオ画像表示部５に表示する。このとき、画像検索制御部８は画像Ｆ１０２を選択状態にし、かつステレオ表示ボタン１０を押下する制御を自動で行い、画像Ｆ１０１、Ｆ１０２をステレオ表示してもよい。
【実施例４】
【００３４】
実施例１〜３でユーザがステレオ表示を行うと、ステレオ表示画面が表示される。図９は２枚の画像を表示するステレオ画像表示部５のステレオ表示画面を示し、ステレオペア情報追加部６を構成するステレオペア情報追加ボタン２１、ステレオペア情報削除ボタン２２が設けられている。
【００３５】
ステレオ表示画面を開くと、表示中の２枚の画像がステレオペアでない場合には、削除ボタン２２を無効に、追加ボタン２１を有効にする。ステレオペアである場合には、削除ボタン２２を有効に、追加ボタン２１を無効にして、ユーザの操作ミスを防止している。
ユーザが追加ボタン２１を押すと、表示中の２枚の画像がステレオペアであるという情報を撮影情報記憶部３に保存する。ユーザが削除ボタン２２を押すと、表示中の２枚の画像が持っているステレオペア情報を撮影情報記憶部３から削除することで、適切なステレオペア画像を登録することができ、適切でない画像がステレオ表示されることを防止することができる。
【００３６】
ステレオペア情報は重複してもよく、例えば任意の画像Ｆ１'、Ｆ２'はステレオペアであり、かつ画像Ｆ２'、Ｆ３'もペアであるとき、画像Ｆ２'は重複したペア情報を持つことになる。なお、このペア情報の重複で、平行法や交差法といった立体視の方法や、観察するユーザの個体差に対応したペア情報を登録することができる。
【符号の説明】
【００３７】
１  眼科撮影装置
２  画像記憶部
３  撮影情報記憶部
４  画像選択制御部
５  ステレオ画像表示部
６  ステレオペア情報追加部
７  画像選択アシスト制御部
８  画像検索制御部
１０  ステレオ表示ボタン
２１  ステレオペア情報追加ボタン
２２  ステレオペア情報削除ボタン
【図１】
2011045549.tif 000003
【図２】
2011045549.tif 000004
【図３】
2011045549.tif 000005
【図４】
2011045549.tif 000006
【図５】
2011045549.tif 000007
【図６】
2011045549.tif 000008
【図７】
2011045549.tif 000009
【図８】
2011045549.tif 000010
【図９】
2011045549.tif 000011